(57)【要約】【課題】商品見本を陳列するパネルユニットの視認性を担保可能な吊り下げ型商品陳列什器を提供する。【解決手段】吊り下げ型商品陳列什器は、シガレットパックを収容する収容体（２）と、この収容体（２）の前面側に配置され、シガレットパックの見本を陳列するパネルユニット（１８）とを備え、パネルユニット（１８）はヒンジ（２８）及びリンクアーム（３０）を介して収容体（２）に支持され、収容体（２）に対する傾動角を調整可能である。【選択図】図２
2011030632.tif 000002
【特許請求の範囲】
【請求項１】
多種の商品を収容し、収容された商品を背面から取り出し可能な収容体と、
前記収容体を吊持し且つ前記収容体の吊持位置を調整可能な吊持具と、
前記収容体の前面に設けられ、前記商品の見本を陳列するパネルユニットと、
前記収容体に対して前記パネルユニットを下向きに傾動可能に支持する一方、前記パネルユニットの傾動角を調整可能な傾動装置
とを具備したことを特徴する吊り下げ型商品陳列什器。
【請求項２】
前記傾動装置は、
前記収容体に対し、前記パネルユニットの下端及び上端の何れかを回動自在に支持する支持軸と、
前記収容体と前記パネルユニットとの間に架け渡され、前記パネルユニットの傾動角を決定する連接要素とを含む請求項１に記載の吊り下げ型商品陳列什器。
【請求項３】
前記支持軸は、前記パネルユニットの下端と前記収容体とを連結するヒンジであることを特徴とする請求項２に吊り下げ型商品陳列什器。
【請求項４】
前記連接要素はリンクアームからなり、このリンクアームは前記収容体に回動自在に連結された上端と、前記パネルユニットの選択された位置にて連結された下端とを有することを特徴とする請求項３に記載の吊り下げ型商品陳列什器。
【請求項５】
前記連接要素は伸縮可能なロッド部材であることを特徴とする請求項３に記載の吊り下げ型商品陳列什器。
【請求項６】
前記ヒンジはそのヒンジ軸線と前記収容体との間の距離を調整可能にして前記収容体に取付けられていることを特徴とする請求項５に記載の吊り下げ型商品陳列什器。
【請求項７】
前記パネルユニットの許容最大傾動角を決定する安全装置を更に備えることを特徴とする請求項１〜６の何れかに記載の吊り下げ型商品陳列什器。
【請求項８】
前記支持軸は、前記収容体の前面から延出するブラケットに前記パネルユニットの上端を回動自在に連結していることを特徴とする請求項２に記載の吊り下げ型商品陳列什器。
【発明の詳細な説明】
【技術分野】
【０００１】
本発明は、シガレットパック等の商品に好適した吊り下げ型商品陳列什器に関する。
【背景技術】
【０００２】
コンビニエンスストアやキオスク等の店舗にてシガレットパックが販売される場合、シガレットパックはレジ後方の陳列棚（例えば、特許文献１の図１５参照）にて、銘柄毎に収容されているのが一般的であり、店員は顧客が指定する銘柄のシガレットパックを陳列棚から取り出して顧客に販売する。
【先行技術文献】
【特許文献】
【０００３】
【特許文献１】特開2007-307244号公報
【発明の概要】
【発明が解決しようとする課題】
【０００４】
コンビニエンスストアやキオスク等の店舗の利点は多品種の商品を取り揃えていることにあり、それ故、店舗に要求される取扱商品の品種数は益々増加する傾向にある。
しかしながら、上述した店舗の床面積は比較的狭いので、取扱商品の品種数を更に増加させるには最早限界状態にある。このため、シガレットパック等の商品の販売に吊り下げ型の商品陳列什器を使用することが考えられる。具体的には、この種の商品陳列什器はその内部に多銘柄のシガレットパックを収容する収容体を備え、この収容体の前面が商品の見本を陳列したパネルユニットとして構成されている。
【０００５】
この場合、顧客はパネルユニットの見本からシガレットパックの銘柄を指定することができ、一方、店員は顧客が指定した銘柄のシガレットパックを商品陳列什器内から取り出して、顧客に販売できるが、収容体、即ち、パネルユニットの吊り下げ高さや周囲の照明ランプの位置によっては顧客からパネルユニットの見本が見えづらくなってしまうことがある。
【０００６】
本発明は上述の事情に基づいてなされたもので、その目的とするところは顧客が商品の見本を容易に視認することができる吊り下げ型商品陳列什器を提供することにある。
【課題を解決するための手段】
【０００７】
上述の目的を達成するため、本発明の吊り下げ型商品陳列什器は、多種の商品を収容し、収容された商品を背面から取り出し可能な収容体と、収容体を吊持し且つ収容体の吊持位置を調整可能な吊持具と、収容体の前面に設けられ、商品の見本を陳列するパネルユニットと、収容体に対してパネルユニットを下向きに傾動可能に支持する一方、パネルユニットの傾動角を調整可能な傾動装置とを備える（請求項１）。
【０００８】
上述の商品陳列什器によれば、パネルユニットの高さ位置やパネルユニットからの光の反射等に起因し、顧客にとって商品の見本が視認しづらい場合、パネルユニットの傾動角を調整することで、商品の見本の視認性が改善される。
具体的には、傾動装置は、収容体にパネルユニットの下端及び上端の何れかを回動自在に支持する支持軸と、収容体とパネルユニットとの間に架け渡され、パネルユニットの傾動角を決定する連接要素とを含むことができる（請求項２）。
【０００９】
例えば、支持軸はパネルユニットの下端と収容体とを連結するヒンジによって実現され（請求項３）、この場合、連接要素としてリンクアーム（請求項４）又は伸縮可能なロッド部材（請求項５）を採用することができ、リンクアームは収容体に回動自在に連結された上端と、パネルユニットの選択された位置にて連結された下端とを有する。
連接要素が伸縮可能なロッド部材である場合、ヒンジはそのヒンジ軸線と収容体との間の距離を調整可能にして収容体に取付けられているのが好ましい（請求項６）。
【００１０】
更に、上述の商品陳列什器は、パネルユニットの許容最大傾動角を決定する安全装置を更に備えているのが望ましく（請求項７）、この場合、傾動装置に故障が発生し、パネルユニットが支持軸回りに下方に傾動しても、その傾動は許容最大傾動角にて停止され、パネルユニットが支持軸から垂れ下がってしまうようなことはない。
一方、前述した支持軸は、収容体の前面から延出するブラケットにパネルユニットの上端を回動自在に連結するものであってもよい（請求項８）。
【発明の効果】
【００１１】
請求項１−６，８の商品陳列什器はそのパネルユニットが傾動可能であるので、パネルユニットの傾動角を調整するだけで、顧客は商品の見本を視認し易くなり、商品の選択が容易にとなる。そして、請求項７の商品陳列什器は安全装置を備えているので、傾動装置に故障し、パネルユニットが下方に傾動して落下するような状況にあっても、パネルユニットの傾動を許容最大傾動角に制限でき、パネルユニットが周辺のものに不用意に衝突してしまうこともない。更に、請求項８の商品陳列什器の場合、パネルユニットはその上端を中心として傾動するので、前述した安全装置は不要となる。
【図面の簡単な説明】
【００１２】
【図１】一実施例の商品陳列什器を示した斜視図である。
【図２】図１の商品陳列什器の側面図である。
【図３】図１，２の商品陳列什器のパネルユニットが下方に傾動された状態を示す図である。
【図４】商品陳列什器の変形例を示す図であり、（ａ）は図３のリンクアームに代わる伸縮ロッド、（ｂ）は図３のヒンジに代わるヒンジをそれぞれ示す。
【図５】商品陳列什器の他の変形例を示す概略図である。
【発明を実施するための形態】
【００１３】
図１の吊り下げ型商品陳列什器は収容体２を備え、この収容体２は水平方向に延びボックス形状をなし、その背面のみが開口されている。収容体２の上面には例えば３本の吊持具４が設けられており、これら吊持具４は収容体２の長手方向、即ち、水平方向に間隔を存して配置されている一方、収容体２の上面から上方に向けてそれぞれ延び、店舗の天井から収容体２を吊持可能とする。
【００１４】
各吊持具４は同一の構造を有しているので、１つの吊持具４に着目して、その構成を以下に説明する。
吊持具４は一対の平行な角柱６を有し、これら角柱６は収容体２の奥行き方向に互いに離間している。一対の角柱６の下端はロア取付け板８を介して収容体２の上面に連結され、一方、それらの上端はアッパ取付け板１０を介して互いに連結されている。アッパ取付け板１０は店舗の天井に吊持具４を固定するために使用される。
【００１５】
より詳しくは、各角柱６はアッパ取付け板１０側の外側角柱部と、ロア取付け側８の内側角柱部とからなり、この内側角柱部の上部は外側角柱部内に摺動自在に挿入されている。それ故、角柱６は外側角柱部に対する内側角柱部の挿入及び引き出しによって、上下方向に伸縮可能であり、そして、所望の伸縮位置にて、外側及び内側角柱部を連結ボルト１２により互いに連結することで、角柱６の長さ、即ち、収容体２の吊持位置を調整することができる。なお、一対の角柱６における外側角柱部はクロスビーム１４を介して互いに連結されている。
【００１６】
収容体２内には多種のシガレットパック（図示しない）がその銘柄毎に収容されている。具体的には、図２中破線のみで概略的に示されているように、収容体２内には多数のマガジン１６が配置され、これらマガジン１６内に同一銘柄のシガレットパックがそれぞれ収容されている。
なお、収容体２内のマガジン１６は収容体２の長手方向、即ち、水平方向に互いに隣接して配置された多数のマガジン列を形成する一方、各マガジン列は収容体２の奥行き方向に沿って階段状に並べられた３つのマガジン１６からなり、これらマガジン１６はその下端部にシガレットパックの取り出し口を有し、これら取り出し口は収容体２の背面側に向けて開口している。
【００１７】
一方、収容体２の前面にはパネルユニット１８が配置され、このパネルユニット１８は収容体２の前面をほぼ覆うようなサイズを有する。パネルユニット１８内には左右の商品見本陳列域２０，２２と、これら商品見本陳列域２０，２２間の広告領域２４とが確保されている。商品見本陳列域２０，２２には多数のポケット２６が配列され、各ポケット２６に収容体２内のシガレットパックの銘柄毎の見本（図示しない）が保持可能となっている。なお、広告領域２４は新製品のポスター等を貼り付けるために使用される。
【００１８】
商品見本陳列域２０，２２の見本及びポスターはパネルユニット１８の透明なフロントカバー（図示しない）を通じて視認可能であり、また、その視認性を向上するため、パネルユニット１８内にはバックライト（図示しない）が配置されている。
上述したパネルユニット１８は収容体２に傾動装置を介して取付けられており、この傾動装置について、以下に説明する。
【００１９】
傾動装置は、収容体２の底にパネルユニット１８の下端縁を接続する支持軸、具体的には複数のヒンジ２８を備え、これらヒンジ２８は水平なヒンジ軸線を有する。それ故パネルユニット１８は収容体２に対し、ヒンジ２８を中心として上下方向に傾動、つまり、回動自在に支持されている。
また、パネルユニット１８と収容体２との間には連接要素としての一対のリンクアーム３０が架け渡され、これらリンクアーム３０を介してパネルユニット１８は収容体２に連結されている。詳しくは、一対のリンクアーム３０は収容体２の両側面に配置されており、各リンクアーム３０の上端は収容体２の側面上部にピン３２を介して回動自在に取付けられ、一方、各リンクアーム３０の下端はパネルユニット１８の側面に連結ボルト３４及びナット（図示しない）を介して連結されている。この連結ボルト３４の挿通を可能とするため、パネルユニット１８の側面には複数、例えば３つの挿通孔３６が形成され、これら挿通孔３６は上下方向に間隔を存して配置されている。
【００２０】
図２に示す状態では、連結ボルト３４は最下位にある挿通孔３６に挿通されて、リンクアーム３０をパネルユニット１８に連結し、この場合、パネルユニット１８は収容体２の前面と平行な鉛直姿勢（傾動角０）に位置付けられている。
しかしながら、連結ボルト３４が最上位にある挿通孔３６に挿通されて、リンクアーム３０をパネルユニット１８に連結する場合には、図３に示されているようにパネルユニット１８はヒンジ２８を中心として前方且つ下向きに傾動し、図２の鉛直姿勢から第１傾斜姿勢（第１傾動角）に変更され、そして、連結ボルト３４が中間位置の挿通孔３６に挿通される場合、パネルユニット１８は第１傾斜姿勢と鉛直姿勢との間の中間の第２傾斜姿勢（第２傾動角）に位置付けられる。
【００２１】
上述したようにパネルユニット１８の姿勢が鉛直姿勢、第１傾斜姿勢及び第２傾斜姿勢から選択可能であるので、パネルユニット１８の吊持位置やそのフロントカバーからの反射光に起因する視認性の悪さを解消すべく、パネルユニット１８を顧客から視認し易い姿勢にでき、シガレットパックの販売に大きく貢献する。
更に、図３に示されているようにパネルユニット１８は収容体２に安全装置としてのチェーン３８を介して繋がっている。このチェーン３８は前述したパネルユニット１８の傾動を許容する十分な長さを有しているものの、パネルユニット１８が例えば水平姿勢（許容最大傾動角）を越え、更に下方に傾動するのを阻止する。
【００２２】
このようなチェーン３８が備えられていれば、万一、前述した連結ボルト３４によるリンクアーム３０とパネルユニット１８との間の結合が外れ、パネルユニット１８がヒンジ２８の回りに自由に回動できる状態になったとしても、パネルユニット１８は水平姿勢以上に下方に傾動することはなく、周囲のものとの衝突を避けることができる。
本発明は上述の一実施例に制約されるものではなく種々の変更が可能である。
【００２３】
例えば、ヒンジ２８に代えて、収容体２にパネルユニット１８を回動自在に支持する回動軸を使用してもよい。
また、連接要素として、図４（ａ）に示されるようにエア又はオイルダンパ方式の伸縮ロッド４０を使用すれば、パネルユニット１８の傾動角を無段階に調整することができる。この場合、図４（ｂ）中、実線及び２点鎖線で示されたヒンジ２８を参照すれば明らかなように、ヒンジ２８のヒンジ軸線と収容体２との間の距離が調整可能であれば、商品陳列什器の奥行き(前後方向の長さを)を可変することができる。
【００２４】
具体的には、ヒンジ２８が収容体２に対する伸縮可能な取付け部位を有するか、複数の取付け位置を有しているか、又は、ヒンジ２８と収容体２との間に延長部材を設けることで、ヒンジ軸線と収容体２との間の距離を調整することができる。
一方、図５に概略的に示されているように、収容体２はその上端から前方に向けて延びる一対のブラケット４２を有し、これらブラケット４２に支持軸４４を介してパネルユニット１８の上端を回動自在に連結するようにしてもよい。この場合、パネルユニット１８と収容体２との間には例えばチェーン４６又は前述したリンクアーム３０や伸縮ロッド４０等の連接要素が架け渡されている。このような連接要素は、所望の傾動角にてパネルユニット１８を保持することができる。そして、チェーン４６やリンクアーム３０が外れたり又は伸縮ロッドが壊れたりしても、パネルユニット１８はブラケット４２から単に垂下されるだけであり、前述したような安全装置を別途設けずとも、パネルユニット１８が周囲のものに衝突することはない。
【００２５】
更に、収容体２内に収容される商品はシガレットパックに限られるものでもなく、そして、パネルユニット１８の構成もまた任意に変更することができる。
【符号の説明】
【００２６】
２              収容体
４              吊持具
１８            パネルユニット
２８            ヒンジ（支持軸）
３０            リンクアーム（連接要素）
３４            連結ボルト
３６            挿通孔
３８            チェーン（安全装置）
４０            伸縮ロッド（連接要素）
４２            ブラケット
４４            支持軸
４６            チェーン（連接要素）
【図１】
2011030632.tif 000003
【図２】
2011030632.tif 000004
【図３】
2011030632.tif 000005
【図４】
2011030632.tif 000006
【図５】
2011030632.tif 000007